(57)【要約】  食物を圧搾する装置（１００）は、食材を収容するレセプタクル部分（１２４）を含む。孔が開けられた領域（１１６、１２０）を含むプランジャ部分（１１２）もまた提供される。レセプタクル部分（１２４）とプランジャ部分（１１２）とは、第１位置から第２位置まで移動可能となるように構成されている。２つの位置の間で移動されると、孔が開けられた領域（１１６、１２０）は、レセプタクル部分（１２４）の内部空間（１２６）を通過して移動する。
2011510781.tif 000002
【特許請求の範囲】
【請求項１】
食物を圧搾する装置であって、
１つの食材を収容するレセプタクル部分と、
孔が開けられた領域を有するプランジャ部分と、
を有し、
前記レセプタクル部分と前記プランジャ部分とは、使用中に、前記孔が開けられた領域が前記レセプタクル部分の内部空間を通過して移動するように、第１位置から第２位置まで移動可能なように構成されていることを特徴とする装置。
【請求項２】
前記レセプタクル部分が基部を有することを特徴とする請求項１に記載の装置。
【請求項３】
前記レセプタクル部分と前記プランジャ部分とは、使用中に、前記レセプタクル部分の基部と前記孔が開けられた領域との間にクリアランスを提供するように構成されていることを特徴とする請求項２に記載の装置。
【請求項４】
前記レセプタクル部分を有するハンドル部分をさらに含むことを特徴とする請求項１乃至請求項３のいずれか１項に記載の装置。
【請求項５】
前記レセプタクル部分は、前記ハンドル部分の遠位端部に配置されていることを特徴とする請求項４に記載の装置。
【請求項６】
前記プランジャ部分は、前記レセプタクル部分に対してちょうつがいで動くように構成されていることを特徴とする請求項１乃至請求項５のうちのいずれか１項に記載の装置。
【請求項７】
前記プランジャ部分を有する別のハンドル部分をさらに有することを特徴とする請求項１乃至請求項６のうちのいずれか１項に記載の装置。
【請求項８】
前記プランジャ部分は、前記別のハンドル部分の遠位端部に配置されていることを特徴とする請求項７に記載の装置。
【請求項９】
前記プランジャ部分は、前記別のハンドル部分から取り外し可能であることを特徴とする請求項７または請求項８に記載の装置。
【請求項１０】
前記孔が開けられた領域は、取り外し可能であることを特徴とする請求項１乃至請求項９にうちのいずれか１項に記載の装置。
【請求項１１】
前記孔が開けられた領域を有する端部キャップをさらに含むことを特徴とする請求項１乃至請求項１０のうちのいずれか１項に記載の装置。
【請求項１２】
前記端部キャップは、取り外し可能であることを特徴とする請求項１１に記載の装置。
【請求項１３】
前記プランジャ部分は、実質的に中空空間を有することを特徴とする請求項１乃至請求項１２のうちのいずれか１項に記載の装置。
【請求項１４】
前記プランジャ部分は、実質的に管状であることを特徴とする請求項１３に記載の装置。
【請求項１５】
前記中空空間は、使用中に、前記孔が開けられた領域を物質が通過した後で、前記レセプタクル部分から前記物質を受け取るように構成されていることを特徴とする請求項１３または請求項１４に記載の装置。
【請求項１６】
前記プランジャ部分は、実質的に中空空間を有し、
前記孔が開けられた領域は、前記プランジャ部分の第１遠位端部に配置され、１つの開口は前記プランジャ部分の第２遠位端部に配置されていることを特徴とする請求項１乃至請求項１５のうちのいずれか１項に記載の装置。
【請求項１７】
前記プランジャ部分は、実質的に中空空間を有し、前記１つの開口は、前記１つの開口から前記物質を回収するために、前記中空空間への入口を提供することを特徴とする請求項１６に記載の装置。
【請求項１８】
前記レセプタクル部分を有するハンドル部分をさらに含み、
前記ハンドル部分は、前記別のハンドル部分に対してちょうつがいで動くように接続されていることを特徴とする請求項７に記載の装置。
【請求項１９】
前記別のハンドル部分は、食器具を収容するように構成されていることを特徴とする請求項７に記載の装置。
【請求項２０】
前記別のハンドル部分は、前記食器具の取っ手を収容するために凹んでいる領域を含むことを特徴とする請求項１９に記載の装置。
【請求項２１】
使用中に、食材が外に出るのを防止するために、前記別のハンドル部分の上に配置されるように構成されているカバー部分をさらに含むことを特徴とする請求項１乃至請求項２０のうちのいずれか１項に記載の装置。
【請求項２２】
前記カバー部分は、別の孔が開けられた領域を有する取替用端部キャップを貯蔵するための凹部を含むことを特徴とする請求項２１に記載の装置。
【請求項２３】
前記カバー部分は、前記ハンドル部分にスナップはめ込みが可能であることを特徴とする請求項２１または請求項２２に記載の装置。
【請求項２４】
前記プランジャ部分は、前記レセプタクル部分に対して取り外し可能でかつちょうつがいで動くように構成されていることを特徴とする請求項１乃至請求項２３のうちのいずれか１項に記載の装置。
【請求項２５】
前記プランジャ部分は、周囲部を密閉するように構成されていることを特徴とする請求項１乃至請求項２４のうちのいずれか１項に記載の装置。
【請求項２６】
前記孔が開けられた領域を有する端部キャップをさらに含み、
前記端部キャップは、前記周囲部を密閉することを特徴とする請求項２５に記載の装置。
【請求項２７】
前記孔が開けられた領域は、前記孔が開けられた領域の第１表面と第２表面との間にある位置に提供される複数の孔を有することを特徴とする請求項１乃至請求項２６のうちのいずれか１項に記載の装置。
【請求項２８】
前記プランジャ部分は、長手方向にアーチ形形状であることを特徴とする請求項１乃至請求項２７のうちのいずれか１項に記載の装置。
【請求項２９】
前記レセプタクル部分と前記プランジャ部分とは、前記プランジャ部分が前記レセプタクル部分内で滑走して移動することができるように、相補的形状であることを特徴とする請求項１乃至請求項２８のうちのいずれか１項に記載の装置。
【請求項３０】
食材をつぶす方法であって、
１つの食材を収容するレセプタクル部分を提供する工程と、
孔が開けられた領域を有するプランジャ部分を提供する工程と、
使用中に、前記孔が開けられた領域が前記レセプタクル部分の内部空間を通過して移動するように、前記プランジャ部分を前記レセプタクル部分に対して第１位置から第２位置まで動かす工程と、
を含むことを特徴とする方法。
【請求項３１】
食物を圧搾するキットであって、
１つの食材を収容するレセプタクル部分と、
オプションに分離可能な、孔が開けられた領域を有するプランジャ部分と、
を有し、
前記レセプタクル部分と前記プランジャ部分とは、使用中に、前記孔が開けられた領域が前記レセプタクル部分の内部空間を通過して移動するように、第１位置から第２位置まで移動可能なように構成されていることを特徴とする食物を圧搾するキット。
【発明の詳細な説明】
【技術分野】
【０００１】
本発明は、例えば、食材を通過させるための孔が開けられた領域を有するタイプの食物を圧搾する装置に関する。また、本発明は、例えば、食材を孔が開けられた領域に通過させる工程を有するタイプの食材をつぶす方法に関する。
【背景技術】
【０００２】
食物調製の分野において、特に、食材全体を食べることができない人のために、例えば、幼児のために、特に、赤ん坊を乳離時に幼児に食物を与えるために、食物をより柔らかくより扱いやすい構成部分につぶすことが知られている。
【０００３】
食材全体を食べられない幼児または人が食物を適切に食べられるように調度（consistency）するために、いわゆるブレンダまたはフードプロセッサが使用される。ブレンダは、ふた付きの水差しのような容器と容器の基部に向かって配置される回転するブレード構成物を含む。ブレンダのブレード構成物は、電気で回転して容器中に配置される食材を壊すまたは砕くようにする。
【０００４】
別の知られているデバイスは、いわゆる「モウリ（mouli）」である。モウリは、ディスク状格子とハンドルとを含む複数パーツからなるミルである。モウリは、ハンドルを回転すると、食物は穴の開いたディスクを通過して、ピューレ（すり潰す）された食物が製造されるように構成されている。
【０００５】
しかしながら、上記デバイスは、色々な理由で幼児に食物を与えるのには不適当な場合がある。まず第一に、ブレンダは、携帯用でなく、電源を必要とし、重くて大きい。第二に、ブレンダで処理した後の食物の調度は、幼児に食べさせるには、好ましい滑らかさではなく、ブレンダでコウサー（courser）の調度を得るのは簡単でない。さらに、特にモウリの場合、ピューレされた食物の流出が起こる。このことは、例えば、レストランの環境では好ましくない。また、ピューレされた食物を別の容器中に、例えば、プレートなどの表面に移すことが必要である。
【発明の概要】
【発明が解決しようとする課題】
【０００６】
いわゆるライサーあるいはプレスは、野菜、特に、じゃがいもをピューレするために知られている代替のデバイスである。ライサーは、ニンニクプレスに似たものであり、第１ハンドルに接続した容器を含み、容器は、穴が開いた基部を持つ。第２ハンドルは、ピストンに接続し、ピストンは、容器内で滑走可能なディスクと接続している。容器は、食材、例えば、野菜で満たされ、第２ハンドルは、ピューレされた野菜が容器を出るために、できるだけたくさんの野菜が、穴が開いた基部に向かって通過させるために、ディスクを穴を開けられた基部に向かって滑らせるように使用される。しかしながら、ブレンダとマウリの場合、清潔な方法で野菜ピューレが得られず、またライサーの使用は、いくつかの環境では好ましくない乱雑な状態を生むことになる。
【課題を解決するための手段】
【０００７】
本発明の第１の態様によると、食物を圧搾する装置が提供される。本装置は、１つの食材を収容するレセプタクル部分と、孔が開けられた領域を含むプランジャ部分と、を有し、前記レセプタクル部分と前記プランジャ部分とは、使用中に、前記孔が開けられた領域が前記レセプタクル部分の内部空間を通過して移動するように、第１位置から第２位置まで移動可能なように構成されている。
【０００８】
レセプタクル部分が基部を有するかもしれない。レセプタクル部分とプランジャ部分とは、使用中に、レセプタクル部分の基部と孔が開けられた領域との間にクリアランスを提供するように構成されているかもしれない。
【０００９】
本装置は、レセプタクル部分を有するハンドル部分をさらに含むかもしれない。
【００１０】
レセプタクル部分は、ハンドル部分中に形成された凹部であるかもしれない。
【００１１】
レセプタクル部分は、ハンドル部分の遠位端部に配置されるかもしれない。
【００１２】
プランジャ部分は、レセプタクル部分に対してちょうつがいで動くように構成されているかもしれない。
【００１３】
本装置は、プランジャ部分を有する別のハンドル部分をさらに有するかもしれない。プランジャ部分は、別のハンドル部分の遠位端部に配置されているかもしれない。
【００１４】
プランジャ部分は、別のハンドル部分から取り外し可能であるかもしれない。プランジャ部分は、別のハンドル部分に対してスナップはめ込みが可能であるかもしれない。
【００１５】
孔が開けられた領域は取り外し可能であるかもしれない。孔が開けられた領域はプランジャ部分に対してスナップはめ込み可能であるかもしれない。
【００１６】
本装置は、孔が開けられた領域を有する端部キャップをさらに含むかもしれない。端部キャップは、実質的に卵の半分の形状の表面プロファイルを持つかもしれない。端部キャップは、取り外し可能であるかもしれない。
【００１７】
プランジャ部分は、実質的に実質的に中空空間を有するかもしれない。プランジャ部分は、実質的に管状であるかもしれない。
【００１８】
第１位置は、開いた位置であり、および／または、第２位置は閉じている位置であるかもしれない。第２位置で、プランジャ部分は、実質的にレセプタクル部分中にあるかもしれない。
【００１９】
実質的に中空な空間は、使用中に、孔が開けられた領域を物質が通過した後で、レセプタクル部分から物質を受け取るように構成されているかもしれない。
【００２０】
孔が開けられた領域は、プランジャ部分の第１遠位端部に配置され、１つの開口はプランジャ部分の第２遠位端部に配置されているかもしれない。
【００２１】
１つの開口は、１つの開口から物質を回収するために、実質的に中空空間への入口（アクセス）を提供するかもしれない。
【００２２】
ハンドル部分は、別のハンドル部分に対してちょうつがいで動くように接続されているかもしれない。別のハンドル部分は、食器具を収容するように構成されているかもしれない。
【００２３】
食器具はスプーンであるかもしれない。
【００２４】
別のハンドル部分は、食器具の取っ手を収容するために凹んでいる領域を含むかもしれない。凹んでいる領域は、その中に取っ手をしっかり収容するように構成されているかもしれない。凹んでいる領域は、押し込みばめとしてその中に取っ手を収容するように構成されているかもしれない。
【００２５】
本装置は、使用中に、食材が外に出るのを防止するために、別のハンドル部分の上に配置されるように構成されたカバー部分をさらに含むかもしれない。カバー部分は、別の孔が開けられた領域を有する取替用端部キャップを貯蔵するための凹部を含むかもしれない。カバー部分は、ハンドル部分に対してスナップはめ込みが可能であるかもしれない。
【００２６】
プランジャ部分は、レセプタクル部分に対して取り外し可能でかつちょうつがいで動くように構成されているかもしれない。ちょうつがいは、スナップか押し込みばめを含むかもしれない。
【００２７】
プランジャ部分は、周囲部を密閉するように構成されているかもしれない。周囲部の密閉は周囲部リップであるかもしれない。端部キャップは、周囲を密閉するかもしれない。
【００２８】
孔が開けられた領域は、孔が開けられた領域の第１表面と第２表面との間にある位置に提供される複数の孔を含むかもしれない。
【００２９】
プランジャ部分は、長手方向にアーチ形形状であるかもしれない。
【００３０】
レセプタクル部分とプランジャ部分とは、プランジャ部分がレセプタクル部分内で滑走して移動することができるように、相補的形状であるかもしれない。
【００３１】
本発明の第２の態様によると、食材をつぶす方法が提供される。本方法は、１つの食材を収容するレセプタクル部分を提供する工程と、孔が開けられた領域を有するプランジャ部分を提供する工程と、使用中に、前記孔が開けられた領域が前記レセプタクル部分の内部空間を通過して移動するように、前記プランジャ部分を前記レセプタクル部分に対して第１位置から第２位置まで動かす工程と、を含む。
【００３２】
本発明の第３の態様によると、食物を圧搾するキットが提供される。食物を圧搾するキットは、１つの食材を収容するレセプタクル部分と、オプションに分離可能な、孔が開けられた領域を有するプランジャ部分とを有し、前記レセプタクル部分と前記プランジャ部分とは、使用中に、前記孔が開けられた領域が前記レセプタクル部分の内部空間を通過して移動するように、第１位置から第２位置まで移動可なように構成されている。
【００３３】
従って、携帯可能でありかつ手動である食物を圧搾する装置とつぶす方法を提供することは可能である。また、食材のために、選択可能である、ある程度の調度を容易に再製造することが可能である。また、処理された食物を取り散らかさずにかつ処理した食物を移す必要がない簡単な方法で提供することは可能である。さらに、食物を圧搾する装置は、鋭い刃が無いことによりユーザが切る危険が無い。
【００３４】
本発明の少なくとも１つの実施例が添付図面を参照して本明細書で本発明の一例として説明されるだろう。
【図面の簡単な説明】
【００３５】
【図１】本発明の実施例を構成する装置であり、部品が組み立てられた状態の装置の概略図である。
【図２】閉じた位置にある図１の装置の概略図である。
【図３】食器具をのせている図２の装置の概略図である。
【図４】カバー部分を接続した図１の装置の概略図である。
【図５】図４のカバー部分の概略図である。
【図６】開いた位置にある図１の装置の概略図である。
【図７】部分的に閉じた位置にある図１の装置の部分切断概要図である。
【発明を実施するための形態】
【００３６】
以下の記載を通して、同じ参照番号は、同じ部品のを特定するために使用される。
【００３７】
図１を参照すると、幼児に与える食材をつぶすかまたはつぶすために食物を圧搾する装置１００は、第１ハンドル部１０２と第２ハンドル部１０４を含む。ちょうつがい構成物１０６の各パーツは、第１ハンドル部１０２と第２ハンドル部１０４の各遠位端部に提供される。横方向のピン状突起物１０８は、この点で、第１ハンドル部１０２の遠位端部に一体形成されている。カーブした舌状部分、例えば、横方向のフック部分１１０は、第２ハンドル部分１０４の遠位端部で一体に形成されている。ピン状突起物１０８とフック部分１１０とは、相補的形状で形成され、ピン状突起物１０８とフック部分１１０とは、スナップはめ込みによって係合に押し込んでちょうつがい構成物１０６を形成することができる。従って、第１ハンドル部１０２と第２ハンドル部１０４とは、ピン状突起物１０８の長手方向軸の周りを旋回することができるが、ちょうつがいと洗浄のために取り外し可能に分離することができる。
【００３８】
第１ハンドル部１０２は、図１に示されていないが、第１ハンドル部１０２の遠位端部の近くに配置されたプランジャ部分１１２を含む。プランジャ部分１１２は、ちょうつがいと洗浄目的のためにスナップはめ込みによって第１ハンドル部１０２に取り付けられている。しかしながら、当業者は、プランジャ部分１１２が第１ハンドル部１０２と一体形成できることを理解することができる。プランジャ部分１１２は、端部キャップ部分１１６に接続したアーチ形本体部分１１４を含む。アーチ形本体部分１１４は、中空であり、例えば、管状であり、第１の入口（アクセス）開口１１８を持つ。第２入口（アクセス）開口（図示せず）は、端部キャップ部分１１６によって被覆されている。
【００３９】
端部キャップ部分１１６は、取り外し可能でありかつ凹面プロフィールであり、例えば、実質的に卵の半分形状または涙状形状である。端部キャップ部分１１６は、例えば、孔アレイなどの複数の孔１２０を有する領域を含む。複数の孔１２０は、第１の予め決められた直径のものである。この例では、複数の孔１２０は、例えば、アレイあるいはマトリクスなどの均一な方法で配置されている。しかしながら、当業者は、端部キャップ部分１１６の表面上の孔分布が均一である必要はないことを理解することができる。また、上記の例は、孔が丸い形状であることを含む。しかしながら、他の形状の孔を使うこともできるし、色々な孔形状の混合物を使うこともできる。確かに、孔形状は、すべて同じであるという必要はなく、孔の大きさは、変えることができるし、端部キャップ部分１１６に対する大きさの範囲内で変えることもできる。また、端部キャップ部分１１６は、周囲部リップ１２２を有する。端部キャップ部分１１６は、押し込みばめ（push-fit）を用いることができるが、この例では、１組の側部クリップによって本体部分１１４に係合する。もちろん、本体部分１１４と端部キャップ部分１１６とが一体形成される場合、本体部分１１４は、単に孔が開けられた領域を含む。
【００４０】
第２ハンドル部１０４は、レセプタクル部分１２４を含み、レセプタクル部分１２４は、この例では、壁または内部空間１２６を画定する。この例では、レセプタクル部分１２４は、第２ハンドル部１０４の遠位端部の近くに第２ハンドル部１０４中の凹部として形成される。プランジャ部分１１２とレセプタクル部分１２４は、相補的形状に形成されており、プランジャ部分１１２は、実質的に密閉しながらレセプタクル部分１２４の内部空間１２６内をしっかり滑走することができる。この例では、レセプタクル部分１２４は、食物を圧搾する装置１００を閉じるて、プランジャ部分１１２がレセプタクル部分１２４中に存在する場合、レセプタクル部分１２４の底部（出口のない端部）で、第１ハンドル部１０２と第２ハンドル部１０４とによって十分な程度まで可能なクリアランス（図示せず）を提供するような形状に作られている。
【００４１】
図２に移ると、第１ハンドル部１０２は、凹部１２８を含む。この例では、凹部１２８は、食器具の少なくとも一部の足型に適合するような輪郭を持つ。食器具は、例えば、食器具の取っ手のような幼児用（図３）の食事用スプーン１３０などである。凹部１２８は、浅い周囲壁１３４によって一部が取り囲まれた基部１３２から形成される。浅い周囲壁１３４は、弾力的に変形可能な物質、例えば、樹脂で形成され、必要でないときにその場で食器具を保持するように、第１ハンドル部１０２のネック領域１３８に隣接して配置された１組の側部突起物１３６を有する。所望であれば、浅い周囲壁１３４は、食器具の取り外し可能な保持を容易にするために、弾性材料で形成するか、または、弾性材料でコーティングすることができる。もちろん、当業者は、第１ハンドル部１０２の一部またはすべてを弾性材料でコーティングできることを理解できる。その場で、食器具の作動部分、例えば、食事用スプーン１３０のボウル１４０は、第１入口（アクセス）開口１１８を覆う。食器具の作動部分、例えば、ボウル１４０と指とが接触しないで容易に食器具を取り外しするために、各プッシュ開口１４１は、第１ハンドル部１０２と第２ハンドル部１０４のそれぞれ別の遠位端部で、ユーザがプッシュ開口１４１へ指または他の長い本体を挿入することによって、第１ハンドル部１０２の凹部１２８中に保持された食器具を解放できるように提供される。
【００４２】
図４を参照すると、カバー部分１４２は、第１ハンドル部１０２（図４では、隠されている）の上に横たえて、スナップはめ込みによって第２ハンドル部１０４に脱着可能に接続するような形状に作られている。カバー部分１４２は、第１ハンドル部１０２の長さと幅とを覆うように延びているが、この例では、ちょうつがい構成物１０６以外をふさぐ。また、カバー部分１４２は、取替用端部キャップ部分１４６（図５）を貯蔵する貯蔵コンパートメントとして機能する凹部部分１４４を含む。取替用端部キャップ部分１４６は、スナップはめ込みまたは押し込みばめでカバー部分１４２中に保持される。取替用端部キャップ部分１４６の複数の孔は、端部キャップ部分１１６に対する同様の構成物であるか、異なる食物処理結果を端部キャップ部分１１６に提供するように異なって構成されている。指のリップ１５０は、第２ハンドル部１０４からその取り外しを容易にするためにカバー部分１４２の遠位端部に提供される。
【００４３】
操作（図６）において、食物を圧搾する装置１００が、あらかじめ組み立てられていると仮定すると、食物を圧搾する装置１００は、第１ハンドル部分１０２と第２ハンドル部分１０４を操ることによって食物を圧搾する装置１００の近位端部１４８を分離することによって、開いた位置に配置され、レセプタクル部分１２４の内部空間１２６への入口（アクセス）を提供する。食材またはその一部、例えば、じゃがいもや他の野菜または食材の混合物の一部は、容器の内部空間１２６中に配置される。
【００４４】
図７を参照すると、食物を圧搾する装置１００は、次に、第１ハンドル部分１０２と第２ハンドル部分１０４の近位端部１４８が一緒になるように旋回して閉じて、プランジャ部分１１２を容器１２４の内部空間１２６中に移す。端部キャップ部分１１６は、食材の一部が端部キャップ部分１１６の孔１２０を通過し始めるようにして、食材の調度の変化をもたらす、例えば、食材は、すり潰され、米粒状につぶされ、および/または、ピューレにされる。食物を圧搾する装置１００が閉じた位置に到達すると、食材の増加した量は、端部キャップ部分１１６を通過して、通過の間に砕かれる。周囲部リップ１２２が存在するため、プランジャ部分１１２とレセプタクル部分１２４の間で密閉効果が達成され、それにより、特に吹き出す動作でしかしこれに限らずないが、プランジャ部分の側部の周囲でいくらかの食材のいくらかが吹き出すのを避けることができる。レセプタクル部分１２４の底部に提供されるクリアランスは、食材の残留する固形物かまたは固い部分、例えば、種が、端部キャップ１１６にひびを入れるか、またはそうでなければ、壊わすのを引き起こさないように、食物を圧搾する装置１００の実質的に完全に閉じ無いようにする。
【００４５】
ここで中空のプランジャ部分１１２の空間内にある砕かれた食材は、第１入口（アクセス）開口１１８を経由してアクセス可能である。その結果、処理された食材は、例えば、中空のプランジャ部分１１２からすくい上げて、幼児に食べさせることができる。
【００４６】
食物を圧搾する装置１００が完全に使用されると、カバー部分１４２は第１ハンドル部分１０２の上に配置され、上記説明されたように、第２ハンドル部１０２とのスナップ係合により適所に配置することができる。カバー部分１４２があると、食物を圧搾する装置１００中に配置される未使用のまたは残りの食材が出てくるのを防ぐ。
【００４７】
上記に記載された食物を圧搾する装置１００は、別々のピース・パーツから形成されるものとして記載されているが、当業者は、２つまたはそれ以上の食物を圧搾する装置１００のパーツを一体形成することができることを理解できる。上記の例では、別々のピース・パーツからの食物を圧搾する装置１００の形成は、効率的な洗浄を容易にする。また、食物を圧搾する装置１００のパーツは、殺菌装置に適合するような大きさに作ることができる。
【図１】
2011510781.tif 000003
【図２】
2011510781.tif 000004
【図３】
2011510781.tif 000005
【図４】
2011510781.tif 000006
【図５】
2011510781.tif 000007
【図６】
2011510781.tif 000008
【図７】
2011510781.tif 000009
【国際調査報告】
2011510781.tif 000010
2011510781.tif 000011
2011510781.tif 000012